【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
第１のエレメントを第２のエレメントに取付けるためのファスナ装置であって、このファスナ装置には、ピンを有する第１の部材と、ピンの少なくとも一部を受容するための空洞部を有する第２の部材とが備わり、第２の部材の少なくとも一部が第１のエレメントの穴部内に受容されるか、又は受容可能であって、
特定の温度で第１の形状から第２の形状に変化可能な材料を、第１の部材が含むか、或いは第２の部材がその構成材料とするか、又は含むものであり、
第１の部材のピンは上記第２の形状になると、上記材料の上記第２部材空洞部との相互作用を通してピンの変形を伴わずに上記空洞部にロック可能になるように構成されて成るファスナ装置。
【請求項２】
第１のエレメントを第２のエレメントに取付けるためのファスナ装置であって、このファスナ装置には、ピンを有する第１の部材と、ピンの少なくとも一部を受容するための空洞部を有する第２の部材とが備わるものであって、
特定の温度で第１の形状から第２の形状に変化可能な材料を、第１の部材が含むか、或いは第２の部材がその構成材料とするか、又は含むものであり、上記特定の温度が、第１の部材に含まれる加熱手段を通して発生されるように構成されて成るファスナ装置。
【請求項３】
第１のエレメントを第２のエレメントに取付けるためのファスナ装置であって、このファスナ装置には、ピンを有する第１の部材と、ピンの少なくとも一部を受容するための空洞部を有する第２の部材とが備わり、第２の部材の少なくとも一部が第１のエレメントの穴部内に受容されるか、又は受容可能であって、
特定の温度で第１の形状から第２の形状に変化可能な材料を、第１の部材が含むか、或いは第２の部材がその構成材料とするか、又は含むものであり、
第１の部材のピンは、上記第２の形状になると、ピンの変形を伴わずに上記空洞部にロック可能になり、
第１の部材のピンは、第１の部材が第１の形状又は第３の形状になると、第２の部材からアンロック可能になるように構成されて成るファスナ装置。
【請求項４】
ピンには第１の部分と、この第１の部分より断面積が小さい第２の部分が有って、空洞部は第２の部分を受容するが、材料が第２の形状になるまでは第１の部分を受容しないように構成されて成る請求項１〜３の何れか一つに記載の装置。
【請求項５】
第１の部材がスリーブ部を備え、
特定温度とは異なる或る温度で第１の形状から第２の形状に変化可能な材料を、上記スリーブが構成材料とするか、又は含むように構成されて成る請求項１〜４の何れか一つに記載の装置。
【請求項６】
第１の部材のスリーブ部が上記異なる温度で第１の形状又は第３の形状になると、ピンが第２の部材からアンロック可能になるように構成されて成る請求項３に記載の装置。
【請求項７】
第３の形状が第１の形状とは異なる請求項６に記載の装置。
【請求項８】
第１のエレメントを第２のエレメントに取付けるためのファスナ装置であって、このファスナ装置には、ピンを有する第１の部材と、ピンの少なくとも一部を受容するための空洞部を有する第２の部材とが備わるものであって、
特定の温度で第１の形状から第２の形状に変化可能な材料を、第１の部材が含むか、或いは第２の部材がその構成材料とするか、又は含むものであり、
第１の部材のピンは第２の形状になると、第２の部材の空洞部にロック可能になり、
第１の部材のピンは、第１の部材が第３の形状になると、第２の部材からアンロック可能になるように構成されて成るファスナ装置。
【請求項９】
前記材料が形状記憶ポリマーである請求項１〜８の何れか一つに記載の装置。
【請求項１０】
前記材料がホットメルト接着剤である請求項１〜９の何れか一つに記載の装置。
【請求項１１】
第２の部材が前記材料から成るか、又は前記材料を含むようにして成る請求項１〜１０の何れか一つに記載の装置。
【請求項１２】
第１のエレメントが印刷回路基板である請求項１〜１１の何れか一つに記載の装置。
【請求項１３】
第２のエレメントが第２の印刷回路基板、又は回路基板のケーシングである請求項１２に記載の装置。
【請求項１４】
前記特定温度が、回路基板に備わる加熱手段により発生されるようにして成る請求項１２又は１３に記載の装置。
【請求項１５】
加熱手段が一つ又は複数の抵抗である請求項１４に記載の装置。
【請求項１６】
回路基板がガラスから成る請求項１２〜１５の何れか一つに記載の装置。
【請求項１７】
請求項１〜１６の何れか一つに記載のファスナ装置により第２のエレメントに固着される第１のエレメント。
【請求項１８】
請求項１〜１６の何れか一つに記載のファスナ装置の第１の部材又は第２の部材との組み合わせとしての第１のエレメント。
【請求項１９】
請求項１７又は１８に記載の第１のエレメントであって、第１のエレメントを第２のエレメントから離間する方向に偏倚するバネとの組み合わせとしての第１のエレメント。
【請求項２０】
第１のエレメントを第２のエレメントに取付ける方法であって、
（ａ）ピンを有する第１の固着部材と、ピンの少なくとも一部を受容するための空洞部を有する第２の固着部材であって、第２の部材の少なくとも一部が第１のエレメントの穴部内に受容されるか、又は受容可能であって、特定の温度で第１の形状から第２の形状に変化可能な材料を、第１の部材が含むか、或いは第２の部材がその構成材料とするか、又は含むようにして成る第１の固着部材と第２の固着部材とを準備し、
（ｂ）ピンを空洞部に出来るだけ深く挿入し、
（ｃ）材料を特定温度以上に加熱して、材料が空洞部と相互作用してピンを空洞部に、ピンの変形を伴わずに、ロックするようにして成る方法。
【請求項２１】
ピンには第１の部分と、この第１の部分より断面積の小さい第２の部分とが有って、挿入段階（ｂ）において空洞部には第２の部分は挿入されるが、第１の部分は挿入されないようにして成る請求項２１に記載の方法。
【請求項２２】
第１のエレメントを第２のエレメントに取付ける方法であって、
（ａ）ピンを有する第１の固着部材と、ピンの少なくとも一部を受容するための空洞部を有する第２の固着部材であって、特定の温度で第１の形状から第２の形状に変化可能な材料を、第１の固着部材が含むか、或いは第２の固着部材がその構成材料とするか、又は含むようにして成り、上記特定温度と異なる或る温度で第３の形状に変化可能な材料を第１の固着部材が含むようにして成る第１の固着材料と第２の固着材料を準備し、
（ｂ）ピンを空洞部に挿入し、
（ｃ）材料を特定温度以上に加熱して、材料が空洞部と相互作用してピンを空洞部にロックするようにして成る方法。
【請求項２３】
前記材料が形状記憶ポリマーである請求項２０〜２２の何れか一つに記載の方法。
【請求項２４】
前記材料がホットメルト接着剤である請求項２０〜２２の何れか一つに記載の方法。
【請求項２５】
第２の部材が前記材料から成る、又は前記材料を含むようにして成る請求項２０〜２４の何れか一つに記載の方法。
【請求項２６】
第１のエレメントを第２のエレメントから取外す方法であって、第１のエレメントが請求項１〜７の何れか一つに記載のファスナ装置により第２のエレメントに固着されたものであり、前記材料を前記特定温度に加熱することを特徴とする方法。
【請求項２７】
第１のエレメントを第２のエレメントから取外す方法であって、第１のエレメントが請求項６に記載のファスナ装置により第２のエレメントに取付けたものであり、第１の部材のスリーブを前記異なる温度に加熱することを特徴とする方法。
【請求項２８】
第１のエレメントを第２のエレメントから取外す方法であって、第１のエレメントが請求項８に記載のファスナ装置により第２のエレメントに取付けたものであり、第１の部材を加熱して、それが前記第３の形状を呈するようにして成る方法。
【請求項２９】
第２のエレメントが第１のエレメントのケーシングの一部を構成するようにして成る請求項２０〜２８の何れか一つに記載の方法。
【請求項３０】
ファスナ装置が、第１のエレメントを第２のエレメントから離れる方向に偏倚するバネを備えるようにして成る請求項２９の何れか一つに記載の方法。
【請求項３１】
第１のエレメントと第２のエレメントが印刷回路基板である請求項２０〜２８の何れか一つに記載の方法。
【請求項３２】
請求項２０〜２５の、又は請求項２０〜２５の何れか一つに従属する請求項２９の、何れか一つに記載の方法により第２のエレメントに取付けた第１のエレメント。
【請求項３３】
請求項２６〜２８又は３０の、又は請求項２６又は２７に従属する請求項２９の、何れか一つに記載の方法により第２のエレメントから取外された第１のエレメント。